(57)【要約】【課題】分解、組み立てを行なう必要なく、簡単な操作で折りたたむことができ、収納効率や機能性を向上させることができる折りたたみ式収納架体を提供することを目的とする。【解決手段】上記課題を解決するため、２つの側に設置される垂直架体と、垂直架体に連結される上層フレーム、下層フレームとを有し、上層フレーム、下層フレームの中段部分の相対する位置に設けられた上可動結合部、下可動結合部との間に連結ロッドを有し、上層フレーム、下層フレームの中間部分を連結ロッドにより連結する平行４辺連結体を形成し、上可動結合部、下可動結合部を上に持ち上げて垂直架体を内向きに移動させて折りたたみ、上可動結合部、下可動結合部を下に押して開き、上可動結合部、下可動結合部上に設置されたストッパーにより上層フレーム、下層フレームを水平の状態に維持する構成とされる。【選択図】　　　図１
0003098780.tif 000002
【実用新案登録請求の範囲】
【請求項１】
２つの側に設置される垂直架体と、上記垂直架体の間に間隔を開けて、上下に配置され、且つ、上記垂直架体に連結される上層フレーム、下層フレームとを有し、
上記垂直架体と上記上層フレーム、上記下層フレーム連結部分とが熔接により結合され、上記上層フレーム、上記下層フレームの各両端はそれぞれ２つの垂直架体に枢軸設置され、上記上層フレーム、上記下層フレームは中段部分の相対する位置にそれぞれ上可動結合部、下可動結合部を有し、前側と後側のそれぞれの上可動結合部と下可動結合部との間に、連結ロッドをそれぞれ有し、各上記連結ロッドは両端が上記上可動結合部と上記下可動結合部とに枢軸結合される構造により、上記垂直架体の間にある上記上層フレーム、上記下層フレームの中間部分を上記連結ロッドにより連結する平行４辺連結体を形成し、
上記上可動結合部、上記下可動結合部を上に持ち上げることにより、上記垂直架体を内向きに移動させて折りたたみ、また、上記上可動結合部、上記下可動結合部を下に押すことにより開き、上記上可動結合部、上記下可動結合部上に設置されたストッパーにより、上記上層フレーム、上記下層フレームを水平の状態に維持することを特徴とする折りたたみ式収納架体。
【請求項２】
上記連結ロッドは、上端をＵ字ヘッド、底端を逆Ｔ字ヘッドの形状とし、
上記Ｕ字ヘッドの両凸端はボルトにより、それぞれ上記上層フレームの中段に別々に枢軸固定されることにより、上記上可動結合部を形成し、
上記逆Ｔ字ヘッドの両端はボルトにより、それぞれ上記下層フレームの中段に別々に枢軸固定されることにより、上記下可動結合部を形成し、
上記Ｕ字ヘッド及び上記逆Ｔ字ヘッドの中間の凸出した部分を内側に折り曲げることにより、上記ストッパーを形成することを特徴とする請求項１記載の折りたたみ式収納架体。
【請求項３】
上記連結ロッドの上部及び上記上層フレームの中段位置にＶ形状のバランスフレームを設置し、
上記バランスフレームの２つの上端は別々にボルトにより、上記上層フレーム中段の上記上可動結合部の中心から間隔を開けた左右対称の位置にそれぞれ枢軸固定され、上記バランスフレームは可変角度のＶ型形状で、底端に水平に設置された１つの凸部を有し、
上記凸部の可動範囲に相対する位置に少くとも１つの長形制限溝を設けることにより、上記凸部が上記長形制限溝内を可動することを特徴とする請求項１又は２記載の折りたたみ式収納架体。
【請求項４】
上記架体は１つの物掛架とし、上記垂直架体の上端にハンガーロッド及び網を設置し、上記垂直架体の底端に車輪を枢軸設置することにより、可動式物掛架とすることを特徴とする請求項１乃至３いずれか一項記載の折りたたみ式収納架体。
【請求項５】
上記架体は１つのコンピューターデスクとし、上記上層フレームの上端に１つのデスク板を設置し、上記垂直架体の上端に１つの上板を設置し、更に、上記垂直架体の底端に車輪フレームを固定設置し、上記車輪フレーム下端に上記車輪を枢軸設置することにより、可動式コンピューターデスクとすることを特徴とする請求項１乃至３いずれか一項記載の折りたたみ式収納架体。
【考案の詳細な説明】
【０００１】
【考案の属する技術分野】
本考案は折りたたみ式収納架体に係るものであり、特に、折りたたんで収納することができる折りたたみ式収納架体に係るものである。
【０００２】
【従来の技術】
従来の収納架体は、水平架体、垂直架体と、下部に設置する車輪等で構成されている。従来の収納架体は、使用するために各部の架体や車輪を組み立てて使用するが、その後、収納架体自体を使用しない場合、小さく折りたたんで片付ける必要がある。従来の収納架体は、各架体がネジによって組み付けられているため、片付ける場合には不便である。このような従来の収納架体の機能性を向上させるための研究、開発が行われ、改良が進んでいる。
【０００３】
【考案が解決しようとする課題】
しかしながら、従来の収納架体を小さく折りたたんで片付ける場合、分解するのに時間がかかってしまう。また、分解後架体はばらばらになってしまう為、揃えて収納するのが簡単ではないという問題点があった。
【０００４】
また、使用者が再度収納架体を組み立てようとする時、部品がなくなってしまうという状況になる場合もある。特に、常時使用せず、且つ、頻繁に使用及び片付けを行なう必要がある収納架体（物掛架、デスク、コンピューターテーブル）において、従来の組み立て方式の収納架体では実際使用する時、不便であるという問題点があった。
【０００５】
本考案は、折りたたみ式収納架体において、分解、組み立てを行なう必要なく、簡単な操作で折りたたむことができ、収納効率や機能性を向上させることができる折りたたみ式収納架体を提供することを目的とする。
【０００６】
【課題を解決するための手段】
前記の目的を図るために、本考案は、２つの側に設置される垂直架体と、上記垂直架体の間に間隔を開けて、上下に配置され、且つ、上記垂直架体に連結される上層フレーム、下層フレームとを有し、
上記垂直架体と上記上層フレーム、上記下層フレーム連結部分とが熔接により結合され、上記上層フレーム、上記下層フレームの各両端はそれぞれ２つの垂直架体に枢軸設置され、上記上層フレーム、上記下層フレームは中段部分の相対する位置にそれぞれ上可動結合部、下可動結合部を有し、前側と後側のそれぞれの上可動結合部と下可動結合部との間に、連結ロッドをそれぞれ有し、各上記連結ロッドは両端が上記上可動結合部と上記下可動結合部とに枢軸結合される構造により、上記垂直架体の間にある上記上層フレーム、上記下層フレームの中間部分を上記連結ロッドにより連結する平行４辺連結体を形成し、
上記上可動結合部、上記下可動結合部を上に持ち上げることにより、上記垂直架体を内向きに移動させて折りたたみ、また、上記上可動結合部、上記下可動結合部を下に押すことにより開き、上記上可動結合部、上記下可動結合部上に設置されたストッパーにより、上記上層フレーム、上記下層フレームを水平の状態に維持することにより、分解、組み立てを行なう必要なく、簡単な操作で折りたたむことができ、収納効率や機能性を向上させることができる。
【０００７】
また、前記の目的を図るために、本考案は、上記連結ロッドは、上端をＵ字ヘッド、底端を逆Ｔ字ヘッドの形状とし、上記Ｕ字ヘッドの両凸端はボルトにより、それぞれ上記上層フレームの中段に別々に枢軸固定されることにより、上記上可動結合部を形成し、上記逆Ｔ字ヘッドの両端はボルトにより、それぞれ上記下層フレームの中段に別々に枢軸固定されることにより、上記下可動結合部を形成し、上記Ｕ字ヘッド及び上記逆Ｔ字ヘッドの中間の凸出した部分を内側に折り曲げることにより、上記ストッパーを形成することにより、操作が簡単で、分解、組み立てを行なう必要なく、効率良く開閉操作を行うことができる。
【０００８】
また、前記の目的を図るために、本考案は、上記連結ロッドの上部及び上記上層フレームの中段位置にＶ形状のバランスフレームを設置し、上記バランスフレームの２つの上端は別々にボルトにより、上記上層フレーム中段の上記上可動結合部の中心から間隔を開けた左右対称の位置にそれぞれ枢軸固定され、上記バランスフレームは可変角度のＶ型形状で、底端に水平に設置された１つの凸部を有し、上記凸部の可動範囲に相対する位置に少くとも１つの長形制限溝を設けることにより、上記凸部が上記長形制限溝内を可動するため、操作が簡単で、分解、組み立てを行なう必要なく、効率良く開閉操作を行うことができる。
【０００９】
また、前記の目的を図るために、本考案は、上記架体は１つの物掛架とし、上記垂直架体の上端にハンガーロッド及び網を設置し、上記垂直架体の底端に車輪を枢軸設置することにより、可動式物掛架とするため、折りたたみ式収納架体を物掛架に適応させることができ、機能性及び利便性を向上させることができる。
【００１０】
また、前記の目的を図るために、本考案は、上記架体は１つのコンピューターデスクとし、上記上層フレームの上端に１つのデスク板を設置し、上記垂直架体の上端に１つの上板を設置し、更に、上記垂直架体の底端に車輪フレームを固定設置し、上記車輪フレーム下端に上記車輪を枢軸設置することにより、可動式コンピューターデスクとするため、折りたたみ式収納架体を可動式コンピューターデスクに適応させることができ、機能性及び利便性を向上させることができる。
【００１１】
【考案の実施の形態】
以下に添付図面を参照して本考案のある好適な実施の形態を詳細に説明するが、それらの構成は本考案の構造の絶対的な制限にならない。図１は、本考案の第１実施例に係る折りたたみ式収納架体を組み合わせた状態を示す斜視図である。図２は、本考案の上可動結合部の拡大図である。図３は、本考案の折りたたみ式収納架体の平面図である。図１〜３に示すように、本考案の折りたたみ式収納架体において、架体は２つの側に設置される垂直架体１１、１２と、２つの垂直架体１１、１２の間に間隔を開けて、上下に配置される。かつ、２つの垂直架体１１、１２には、連結される上層フレーム２１、下層フレーム２２とを有し、架体の水平及び垂直方向の連結部分を熔接により結合された構造とされる。本考案の折りたたみ式収納架体の構造は、主に、上、下層フレーム２１、２２の各両端がそれぞれ２つの垂直架体１１、１２に枢軸設置される。上、下層フレーム２１、２２は、中段部分の相対する位置にそれぞれ上可動結合部２３、下可動結合部２４を有し、前側と後側のそれぞれの上可動結合部２３と下可動結合部２４との間に、連結ロッド３０をそれぞれ有する。各連結ロッド３０は、両端が上可動結合部２３と下可動結合部２４とに枢軸結合される構造により、２つの垂直架体１１、１２の間にある２つの上、下層フレーム２１、２２の中間部分を２つの連結ロッド３０により連結する平行４辺連結体を形成する。
【００１２】
図４は、本考案の折りたたみ式収納架体を折りたたむ動作を説明するための図である。図５は、本考案の折りたたみ式収納架体を折りたたんだ状態を示す斜視図である。図４に示すように、図１〜３に示す構造により、本考案の架体を片付ける時、上、下層フレーム２１、２２の中段部分の上、下可動結合部２３、２４を上に持ち上げることにより、２つの垂直架体１１、１２は相対する状態で内側に移動する為、図５に示すように折りたたむことができる。また、反対に開く時は、上、下可動結合部２３、２４を下に押すことにより、開くことができる。また、上、下可動結合部２３、２４上に設置されたストッパー２５、２６により、各上、下層フレーム２１、２２を水平の状態に維持することができる。
【００１３】
連結ロッド３０は上端がＵ字ヘッド３１、底端が逆Ｔ字ヘッド３２の形状でもよく、Ｕ字ヘッド３１の両凸端はボルトにより、それぞれ上層フレーム２１の中段に別々に枢軸固定される。これにより、上可動結合部２３を形成し、また、逆Ｔ字ヘッド３２の両端はボルトでそれぞれ下層フレーム２２の中段に別々に枢軸固定されることにより、下可動結合部２４を形成し、又、Ｕ字ヘッド３１及び逆Ｔ字ヘッド３２の中間の凸出した部分を内側に折り曲げることにより、ストッパー２５、２６を形成することができる。
【００１４】
連結ロッド３０の上部及び上層フレーム２１中段位置にＶ形状のバランスフレーム４０を設置することもでき、バランスフレーム４０の２つの上端は別々にボルトにより、上層フレーム２１中段の上可動結合部２３の中心から間隔を開けた左右対称の位置にそれぞれ枢軸固定され、バランスフレーム４０は可変角度のＶ型形状で、底端に水平に設置された１つの凸部４１を有する。また、連結ロッド３０上の凸部４１の可動範囲に相対する位置に、少くとも１つの長形制限溝３３を設けることにより、凸部４１が長形制限溝３３内を可動することができる。
【００１５】
図１に示すように、本考案の折りたたみ式収納架体は１つの物掛架でもよく、２つの垂直架体１１、１２の上端にハンガーロッド１３及び網１４を設置し、２つの垂直架体１１、１２の底端に車輪１５を枢軸設置することにより、可動式物掛架とすることができる。
【００１６】
図６は、本考案の第２実施例に係る折りたたみ式収納架体を示す斜視図である。図６に示すように、架体は１つのコンピューターデスクでもよく、上層フレーム２１の上端に１つのデスク板５０を設置してもよく、又、２つの垂直架体１１、１２の上端に１つの上板５１を設置してもよい。更に、２つの垂直架体１１、１２の底端に車輪フレーム５２を固定設置し、車輪フレーム５２の下端に車輪１５を枢軸設置することにより、可動式コンピューターデスクとすることができる。
【００１７】
以下に、上記の本考案の構成、特徴及び各部分の位置関係による本考案の効果及び長所を詳述する。
【００１８】
２つの垂直架体１１、１２の間にある２つの上、下層フレーム２１、２２の中間部分を２つの連結ロッド３０により連結し、左右対称の平行４辺連結体を形成することにより、容易に折りたたんで収納することができる。
【００１９】
各上、下層フレーム２１、２２の中段部分の上可動結合部２３或は下可動結合部２４を上に持ち上げることにより、２つの垂直架体１１、１２は相対する状態で内側に移動する為、簡単に折りたたむことができ、また、収納効率を向上させることができる。
【００２０】
架体を閉じた時も、上、下層フレーム２１、２２及び垂直架体１１、１２は連結した状態にあり、即ち、部品がばらばらになることはなく、纏めて収納しやすくなる。再度、使用する時、上可動結合部２３或は下可動結合部２４を下に押すだけで開くことができ、操作が簡単で、分解、組み立てを行なう必要なく、効率良く開閉操作を行うことができる。
【００２１】
尚、本考案の折りたたみ式収納架体は上記の構成に限定されることなく、本考案の折りたたみ式収納架体を変形及び改良した構成においても適応可能である。
【００２２】
【考案の効果】
前記の説明と図面の掲載からわかるように、本考案の折りたたみ式収納架体において、２つの側に設置される垂直架体と、垂直架体に連結される上層フレーム、下層フレームとを有し、上層フレーム、下層フレームの中段部分の相対する位置に設けられた上可動結合部、下可動結合部を上に持ち上げて垂直架体を内向きに移動させて折りたたみ、上可動結合部、下可動結合部を下に押して開き、上可動結合部、下可動結合部上に設置されたストッパーにより上層フレーム、下層フレームを水平の状態に維持することにより、分解、組み立てを行なう必要なく、簡単な操作で折りたたむことができ、収納効率や機能性を向上させることができる。
【図面の簡単な説明】
【図１】本考案の第１実施例に係る折りたたみ式収納架体を組み合わせた状態を示す斜視図である。
【図２】本考案の上可動結合部の拡大図である。
【図３】本考案の折りたたみ式収納架体の平面図である。
【図４】本考案の折りたたみ式収納架体を折りたたむ動作を説明するための図である。
【図５】本考案の折りたたみ式収納架体を折りたたんだ状態を示す斜視図である。
【図６】本考案の第２実施例に係る折りたたみ式収納架体を示す斜視図である。
【符号の説明】
１１、１２　　　　　　　　垂直架体
１３　　　　　　　　　　　ハンガーロッド
１４　　　　　　　　　　　網
１５　　　　　　　　　　　車輪
２１　　　　　　　　　　　上層フレーム
２２　　　　　　　　　　　下層フレーム
２３　　　　　　　　　　　上可動結合部
２４　　　　　　　　　　　下可動結合部
２５、２６　　　　　　　　ストッパー
３０　　　　　　　　　　　連結ロッド
３１　　　　　　　　　　　Ｕ字ヘッド
３２　　　　　　　　　　　逆Ｔ字ヘッド
３３　　　　　　　　　　　長形制限溝
４０　　　　　　　　　　　バランスフレーム
４１　　　　　　　　　　　凸部
５０　　　　　　　　　　　デスク板
５１　　　　　　　　　　　上板
【図１】
0003098780.tif 000003
【図２】
0003098780.tif 000004
【図３】
0003098780.tif 000005
【図４】
0003098780.tif 000006
【図５】
0003098780.tif 000007
【図６】
0003098780.tif 000008